(57)【要約】      （修正有）【課題】構造の簡易化により、組み立てが容易となった電源スイッチを提供する。【解決手段】ケースと、入力端子２０と、２つの出力端子２１等と、揺動部材３０と、ボタン４０と、フックと、表示灯６０とを備える。その内、ボタンの一側にロック凹部が形成され、使用者がボタンを片側へ押すと、ケース内に設けられたフックをロック凹部に移動させると共に、ボタンの揺動によって第二ばね３１を介して揺動部材３０を揺動させ、入力端子と出力端子との間に、電源スイッチの電源回路の遮断或いは電通状態を制御する。【選択図】図４
0003171532.tif 000002
【実用新案登録請求の範囲】
【請求項１】
内部に形成される収容空間と、上面に形成される第一開口と、一側面に形成される第二開口と、第一ばねとを有するケース本体と、該ケース本体の第二開口を被覆するように設置されるカバーとを備えるケースと、
前記収容空間に設置されると共に、第一電源接触点を備える入力端子と、
離間するように前記収容空間に設置される第一出力端子及び第二出力端子であり、該第一出力端子が前記第一ばねに接触して電気接続される２つの出力端子と、
揺動自在に前記ケース本体に取り付けられ、該揺動部材の揺動により選択可能に前記第一電源接触点と接触する或いは離間する第二電源接触点と、該揺動部材の上面に当接されて電気接続される第二ばねとを備える揺動部材と、
揺動自在に前記ケース本体の第一開口を被装されるブロック体であり、該ブロック体の一側に形成されるロック凹部と、該ロック凹部の内側面に凸設される位置決めブロックと、該ブロック体の底面に突設され、前記第二ばねに挿入されるロッドとを備えるボタンと、
一端が揺動自在に前記ケース本体の収容空間に設置され、他端に、前記ロック凹部に位置するように、前記ボタンの揺動によって、位置決めブロックに位置する、或いは位置決めブロックから離間するフック部を備えるフックと、
前記ボタンに設置され、一端に、前記第二ばねに電気接続される第一連接部が延設され、他端に、前記第一ばねの上端に電気接続される第二連接部が延設される表示灯と、からなることを特徴とする電源スイッチ。
【請求項２】
前記第二出力端子における、前記収容空間に位置する端部に設置凹部が形成され、
前記揺動部材の中段両側に位置決め凹部が凹設され、該位置決め凹部が前記設置凹部の周囲両側壁に掛合されることを特徴とする請求項１に記載の電源スイッチ。
【請求項３】
前記ケース本体に、前記第二開口に向かってフック柱が延設され、
前記フックにおける、前記フック部と反対する端部にリングが形成され、該リングは、回転可能に前記フック柱に装着されることを特徴とする請求項１または２に記載の電源スイッチ。
【請求項４】
一端が前記リングに、他端が前記カバーの内側面に当接されるように、前記フック柱に装着される第三ばねを有することを特徴とする請求項３に記載の電源スイッチ。
【請求項５】
前記ケース本体における両側壁にそれぞれ軸孔が穿設され、
前記ボタンにおける両側に支軸が凸設され、該支軸は、回転可能に該軸孔に設置されることを特徴とする請求項４に記載の電源スイッチ。
【請求項６】
前記ケース本体における内部にばね台が設けられ、該ばね台に、前記第一開口に向かって円柱状の凹部が形成され、該円柱状の凹部に第一ばねが設置されることを特徴とする請求項５に記載の電源スイッチ。
【請求項７】
前記ケース本体における両外側壁にそれぞれ係合凸部が凸設され、
前記カバーにおける両側面に、該係合凸部を係合するための係合溝部が穿設されることを特徴とする請求項６に記載の電源スイッチ。
【考案の詳細な説明】
【技術分野】
【０００１】
本考案は、特に簡単に組み立てられる電源スイッチに関するものである。
【背景技術】
【０００２】
電気製品には通常、通電状態を制御するために、電源の開閉を行う電源スイッチが設置されており、そのような電源スイッチにはロッカースイッチとボタンスイッチとを有し、その内、ロッカースイッチは通常、壁に設置され、照明の電源スイッチに使用されるものであり、スイッチの片側を押せば電気が通電状態となる。一方、ボタンスイッチは、よく電気製品に設置され、ボタンを押すと通電状態となり、もう一度押すと、電源遮断される。
【考案の概要】
【考案が解決しようとする課題】
【０００３】
しかしながら、従来の電源スイッチにおけるロッカースイッチやボタンスイッチは、内部の構造が複雑で組み立てが面倒であることから、加工コストが増大してしまうという問題があった。
【課題を解決するための手段】
【０００４】
本考案に係る電源スイッチは、内部に形成される収容空間と、上面に形成される第一開口と、一側面に形成される第二開口と、第一ばねとを有するケース本体と、該ケース本体の第二開口を被覆するように設置されるカバーとを備えるケースと、
前記収容空間に設置されると共に、第一電源接触点を備える入力端子と、
離間するように前記収容空間に設置される第一出力端子及び第二出力端子であり、該第一出力端子が前記第一ばねに接触して電気接続される２つの出力端子と、
揺動自在に前記ケース本体に取り付けられ、該揺動部材の揺動により選択可能に前記第一電源接触点と接触する或いは離間する第二電源接触点と、該揺動部材の上面に当接されて電気接続される第二ばねとを備える揺動部材と、
揺動自在に前記ケース本体の第一開口を被装されるブロック体であり、該ブロック体の一側に形成されるロック凹部と、該ロック凹部の内側面に凸設される位置決めブロックと、該ブロック体の底面に突設され、前記第二ばねに挿入されるロッドとを備えるボタンと、
一端が揺動自在に前記ケース本体の収容空間に設置され、他端に、前記ロック凹部に位置するように、前記ボタンの揺動によって、位置決めブロックに位置する、或いは位置決めブロックから離間するフック部を備えるフックと、
前記ボタンに設置され、一端に、前記第二ばねに電気接続される第一連接部が延設され、他端に、前記第一ばねの上端に電気接続される第二連接部が延設される表示灯と、からなるものである。
【０００５】
前記第二出力端子における、前記収容空間に位置する端部に設置凹部が形成され、
前記揺動部材の中段両側に位置決め凹部が凹設され、該位置決め凹部が前記設置凹部の周囲両側壁に掛合されることが好ましい。
【０００６】
前記ケース本体に、前記第二開口に向かってフック柱が延設され、
前記フックにおける、前記フック部と反対する端部にリングが形成され、該リングは、回転可能に前記フック柱に装着されることが好ましい。
【０００７】
一端が前記リングに、他端が前記カバーの内側面に当接されるように、前記フック柱に装着される第三ばねを有することが好ましい。
【０００８】
前記ケース本体における両側壁にそれぞれ軸孔が穿設され、
前記ボタンにおける両側に支軸が凸設され、該支軸は、回転可能に該軸孔に設置されることが好ましい。
【０００９】
前記ケース本体における内部にばね台が設けられ、該ばね台に、前記第一開口に向かって円柱状の凹部が形成され、該円柱状の凹部に第一ばねが設置されることが好ましい。
【００１０】
前記ケース本体における両外側壁にそれぞれ係合凸部が凸設され、
前記カバーにおける両側面に、該係合凸部を係合するための係合溝部が穿設されることが好ましい。
【考案の効果】
【００１１】
本考案に係る電源スイッチは上記の構造を有することから、使用者は、ボタンの一側或いは他側を押して、ボタンが第二ばねを介して揺動部材を揺動させ、第二電源接触点を入力端子の第一電源接触点と接触或いは離間させることによって、電源回路の遮断或いは通電状態を制御することができ、また、この構成によれば、構造が簡単であると共に、コストダウンを図ることができる。
【００１２】
また、本考案では、電源スイッチにおけるボタン上に表示灯が設置されることから、外部に表示用の灯具を設置する必要はなく、組み立ての手間を省くことができると共に、人件費も削減することができる。
【図面の簡単な説明】
【００１３】
【図１】本考案に係る電源スイッチの斜視図である。
【図２】本考案に係る電源スイッチの他の斜視図である。
【図３】本考案に係る電源スイッチの分解斜視図である。
【図４】本考案に係る電源スイッチの側面断面図である。
【図５】本考案に係る電源スイッチにおけるボタンの斜視図である。
【図６】本考案に係る電源スイッチの電源遮断状態を示す側面断面図である。
【図７】本考案に係る電源スイッチの通電状態を示す側面断面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図３に示すように、本考案に係る電源スイッチは、ケース１０と、入力端子２０と、２つの出力端子と、揺動部材３０と、ボタン４０と、フック５０と、表示灯６０とを有する。
【００１６】
前記ケース１０は、ケース本体１１と、該ケース本体１１の側部に着脱可能に取り付けられるカバー１２とを備え、該ケース本体１１は、内部に収容空間１１１、上面に第一開口１１２、一側面に第二開口１１３が形成される。
【００１７】
図４に示すように、本実施例におけるケース本体１１は、中空の矩形体であり、内部に設けられるばね台１１４と、該ばね台１１４に、前記第一開口１１２に向かって形成される円筒状の凹部と、該円筒状の凹部に設置される第一ばね１１５と、該ばね台１１４の近傍の側壁から、該第二開口１１３に向かって延設されるフック柱１１６と、該ケース本体１１の長手方向の側面における相対する位置にそれぞれ穿設される軸孔１１７と、該ケース本体１１の長手方向と異なる両側面にそれぞれ、横方向に平行するように凸設される係合凸部１１８とを備えるものである。
【００１８】
前記カバー１２は、コ字形のプレート体であり、前記ケース本体１１の第二開口１１３に被装され、前記係合凸部１１８に係合されるために、係合凸部１１８と対応する両側面にそれぞれ形成される係合溝部１２１と、前記フック柱１１６の先端が通過して外側から露出するフック孔１２２とを備える。
【００１９】
前記入力端子２０は、金属プレートであり、前記収容空間１１１内に設置されるが、その一端は、前記収容空間１１１に嵌め込まれ、他端は、ケース１０の外部に延出し、また、該入力端子２０における、収容空間１１１内に設置される一端の上面に第一電源接触点２０１が設けられる。
【００２０】
前記ケース本体１１の収容空間１１１内にそれぞれ位置して、ばね台１１４側の両隅部に、離間するように設置される第一出力端子２１及び第二出力端子２２を有し、その内、該第一出力端子２１は、前記第一ばね１１５の底端に電気接続される。尚、本実施例における第一出力端子２１は金属プレートであり、その底端が前記第一ばね１１５の底端へ延出している。一方、第二出力端子２２はＬ字形の金属プレートであり、前記収容空間１１１に位置する端部に設置凹部２２１が形成される。
【００２１】
前記揺動部材３０は、揺動自在に前記ケース本体１１に取り付けられ、該揺動部材３０の揺動により選択可能に前記第一電源接触点２０１と接触する或いは離間する第二電源接触点３０１と、その上面に当接されて電気接続される第二ばね３１を有する。尚、本実施例における揺動部材３０は、中段両側に位置決め凹部３０２が凹設され、該位置決め凹部３０２は、前記設置凹部２２１の周囲両側壁に掛合される。
【００２２】
図３乃至図５に示すように、前記ボタン４０はブロック体であり、該ブロック体の一側にハート形のロック凹部４１が形成されると共に、該ブロック体の底面にロッド４２が突設され、また、該ロック凹部４１の内側面４１１に位置決めブロック４１２が凸設され、該位置決めブロック４１２の上部に円弧状の凹面が形成される。更に、該ボタン４０は、揺動自在に前記ケース本体１１の第一開口１１２に被装され、該ロッド４２は、前記第二ばね３１の上部に挿入される。尚、本実施例におけるボタン４０は、両側に支軸４３が凸設され、該支軸４３は、回転可能に前記軸孔１１７に設置される。
【００２３】
図３、図６及び図７に示すように、前記フック５０はピン状であり、その一端に、揺動自在に前記ケース本体１１の収容空間１１１に設置され、詳しく述べると、回転可能に前記フック柱１１６に装着される円形のリング５０２が設けられると共に、他端に、前記ロック凹部４１に位置するように、前記ボタン４０の揺動によって、位置決めブロック４１２に位置する、或いは位置決めブロック４１２から離間する曲折状のフック部５０１が設けられる。尚、本実施例はさらに、第三ばね５１を有し、該第三ばね５１は、前記フック柱１１６に装着され、一端がリング５０２に、他端がカバー１２の内側面に当接される。
【００２４】
図３及び図４に示すように、前記表示灯６０は、前記ボタン４０に設置され、一端に、前記第二ばね３１に電気接続される第一連接部６０１が延設され、他端に、前記第一ばね１１５の上端に電気接続される第二連接部６０２が延設される。
【００２５】
図４及び図６に示すように、本考案に係る電源スイッチを使用している時は、入力端子２０は電源と接続されているが、電源スイッチを切って、電源を遮断状態にする時は、ボタン４０を入力端子２０側へ倒し込むと、フック５０のフック部５０１がロック凹部４１の下部に移動し、ボタン４０がロッド４２を介して第二ばね３１を押圧し、揺動部材３０をフック５０側へ揺動させ、揺動部材３０の第二電源接触点３０１を入力端子２０の第一電源接触点２０１から離間させて電源回路を遮断する。
【００２６】
逆に、図４及び図７に示すように、使用者がボタン４０を押してフック５０側へ切り替えると、該フック５０のフック部５０１がロック凹部４１の下部から離間して位置決めブロック４１２上の円弧状の凹面に移動して位置決められるので、揺動部材３０の第二電源接触点３０１を入力端子２０の第一電源接触点２０１に接触させることができる。これにより、本考案に係る電源スイッチにおける、入力端子２０、第一電源接触点２０１、第二電源接触点３０１、揺動部材３０、第二ばね３１、第一連接部６０１、表示灯６０、第二連接部６０２、第一ばね１１５、第一出力端子２１が順に電気接続され、揺動部材３０が第二出力端子２２に電気接続されるので、電源回路が通電して表示灯６０に電力が供給される。
【産業上の利用可能性】
【００２７】
本考案は上記の構造を有し、電源スイッチが単純な内部構造であることから、組み立てをより簡単にできるので、加工コストの削減に繋がる。
【符号の説明】
【００２８】
１０    ケース
１１    ケース本体
１１１  収容空間
１１２  第一開口
１１３  第二開口
１１４  ばね台
１１５  第一ばね
１１６  フック柱
１１７  軸孔
１１８  係合凸部
１２    カバー
１２１  係合溝部
１２２  フック孔
２０    入力端子
２０１  第一電源接触点
２１    第一出力端子
２２    第二出力端子
２２１  設置凹部
３０    揺動部材
３０１  第二電源接触点
３０２  位置決め凹部
３１    第二ばね
４０    ボタン
４１    ロック凹部
４１１  内側面
４１２  位置決めブロック
４２    ロッド
４３    支軸
５０    フック
５１    第三ばね
５０１  フック部
５０２  リング
６０    表示灯
６０１  第一連接部
６０２  第二連接部
【図１】
0003171532.tif 000003
【図２】
0003171532.tif 000004
【図３】
0003171532.tif 000005
【図４】
0003171532.tif 000006
【図５】
0003171532.tif 000007
【図６】
0003171532.tif 000008
【図７】
0003171532.tif 000009